(57)【要約】  本発明は、上下に位置付けられている、スリーブ（５２、５４）又はシャフト上に巻着されたペーパーウェブ（５６）から成る少なくとも２つのトイレットペーパーロール（１２、１４）のためのホルダー（１０）に関し、ホルダーは、互いからある距離のところに平行に配置されている第１及び第２壁（２８、３０）を備え、ここにおいて、壁（２８、３０）の各々が、スリーブ中の開口部において受け入れられ得るシャフトの一端又はシャフトジャーナルを受け入れるための案内（４０、４２）を有する。案内（４０、４２）は、トイレットペーパーロール（１２、１４）を供給するための、実質的に垂直に伸びる供給部（４０ｂ）を有し、前記供給部は、少なくとも１つの第１切取り要素（６０、６２）又は停止具（７２）に向かって垂直の方に傾斜を付けて伸びる巻解部（４０ｃ）に合流し、ここにおいて、巻解部（４０ｃ）に位置する低い方のトイレットペーパーロール（１２、１４）の重力により、前記トイレットペーパーロールの外周が停止具（７２）に対して置かれることが引き起こされ、ペーパーウェブ（５６）が、取除き開口部（５８）を通ってトイレットペーパーロール（１４）から巻解され得、少なくとも１つの切取り要素（６０、６２）に接触して（against）切り取られ得る。ホルダーが単純な構成を有し、低メンテナンスで操作上信頼性があるようにするために、前記ホルダー（１０）は、使用中の低い方のトイレットペーパーロール（１４）が、案内（４０、４２）の供給部（４０ｃ）中に押し戻されることを防ぐロック要素（１１０）を有する。【選択図】図８
2019513475.tif 000002
【特許請求の範囲】
【請求項１】
スリーブ（５２、５４）上に、又はシャフト上に巻かれたペーパーウェブ（５６）からなる、重ねて配置された少なくとも２つのトイレットペーパーロール（１２、１４）のためのホルダー（１０）であって、
前記ホルダー（１０）は、いくらかの距離だけ離れて平行に配置されている第１及び第２壁（２８、３０）をもち、
ここで、前記壁（２８、３０）の各々が、前記スリーブの開口部に収納され得る、シャフトの１つのそれぞれの端部又は１つのそれぞれのシャフトジャーナルを収納するための１つの案内（４０、４２）を備え、
前記案内（４０、４２）は、実質的に垂直に延出し、トイレットペーパーロール（１２、１４）を運ぶ役目をし、及び巻解部（４０ｃ）に合流する１つの供給部（４０ｂ）を備え、前記巻解部（４０ｃ）は、少なくとも１つの第１切取り要素（６０、６２）又は限界停止具（７２）の方向に、垂直に対して傾いて延出しており、
前記切取り部（４０ｃ）に位置している低い方のトイレットペーパーロール（１２、１４）は、それ自体の重みに起因して、その周面で前記限界停止具（７２）を圧迫し、
前記ペーパーウェブ（５６）は、引出し開口部（５８）を通って前記トイレットペーパーロール（１４）から巻解され得、前記少なくとも１つの切取り要素（６０、６２）で切り取られ得るものであるホルダー（１０）において、
前記ホルダー（１０）が、使用中の前記低い方のトイレットペーパーロール（１４）が前記案内（４０、４２）の前記供給部（４０ｃ）中に押し戻されることを防ぐロック要素（１１０）を備えることを特徴とする、ホルダー（１０）。
【請求項２】
前記ロック要素（１１０）は、第２案内要素（６６）において、特に垂直の方に傾いて延出している前記巻解部（４０ｃ）において、前記案内（４０、４２）に対して横断して摺動可能に装着されている摺動要素として具体化されることを特徴とする、請求項１に記載のホルダー。
【請求項３】
前記摺動要素（１１０）の一端（１１４）が、重力に起因して又はばね予圧に起因して、のどちらかで、第１案内要素（６４）の内面（９０）を圧迫することを特徴とする、請求項１又は２に記載のホルダー。
【請求項４】
前記トイレットペーパーロールの通過中に、前記シャフトの前記端部（４０）又は前記シャフトジャーナルが前記摺動要素（１１０）を開位置に転換することができ、前記シャフトの前記端部（４０）又は前記シャフトジャーナルがいったん通過し切ってしまうと、それが重力又はばね負荷に起因して閉位置に戻るよう落下するように、
前記案内中に突出している前記摺動要素（１１０）の前記一端（１１４）は、その送込み側が楔形状に具体化され、傾斜面（１１６）をもつことを特徴とする、請求項１〜３のうちの少なくとも一項に記載のホルダー。
【請求項５】
前記摺動要素（１１０）は、前記トイレットペーパーロールの１つの半径に実質的に対応する前記限界停止具（７２）からある距離のところに配置されていることを特徴とする、請求項１〜４のうちの少なくとも一項に記載のホルダー。
【発明の詳細な説明】
【技術分野】
【０００１】
本発明は、スリーブ又はシャフト上に巻かれたペーパーウェブから成る、順に重ねて配置された少なくとも２つのトイレットペーパーロールのためのホルダーに関し、互いからある距離分離れて配置されている第１及び第２壁を備え、ここにおいて、壁の各々が、スリーブの開口部に挿入され得るシャフトの１つのそれぞれの端部又は１つのそれぞれのシャフトジャーナルを収納するための１つの案内を備え、ここにおいて、トイレットペーパーロールを供給するために、案内は、実質的に垂直に延出している供給部を備え、該供給部は巻解部に変わり、該巻解部は、少なくとも１つの第１切取り要素又は限界停止具に向かって垂直の方に傾いて延出しており、ここにおいて、重力により、巻解部に位置している低い方のトイレットペーパーロールの周面が強制的に限界停止具に接触するようになり、ここにおいて、ペーパーウェブが、給紙開口部を通ってトイレットペーパーロールから巻解される得、少なくとも１つの切取り要素で切り取られ得る。
【背景技術】
【０００２】
上で言及された型のトイレットペーパーロールのためのホルダーは、スイス国特許公報第571 994 Ｂにおいて開示されている。このホルダーは、使用者が材料ウェブの一部分を引き出し得る給紙位置に第１トイレットペーパーロールを維持し、ロールが満杯である第１位置からロールが少なくとも実質的に使い切られている第２位置に、ジャーナルを移動させる第１保持手段を備える。更に設けられているのは、給紙位置上方の予備位置に少なくとも１つの第２ロールを着脱可能に保持することであって、ここにおいて、第１保持手段と第２保持手段とは少なくとも１つの枢動可能レバーを介して互いに結合され、該少なくとも１つの枢動レバーは、第１保持手段では、該第１ロールにおけるジャーナルの位置に応動するために、第１ロールのジャーナルが第１位置から第２位置に移動している限りずっと予備位置に第２ロールを保持するために、第１ロールにおけるジャーナルと相互動作する保持することと、該ジャーナルが第２位置に到達したときに予備位置から第２ロールを自動的に外すことと、のための第２保持手段である。最後に設けられているのは、一度レバーが第２ロールを外してしまうと、予備位置から給紙位置に第２ロールを案内するための案内装置である。ロールが特定の向きでのみ給紙装置中に挿入されることを保証するために、複数のジャーナルが異なる直径をもち、複数の案内溝が異なる幅をもつことが意図されている。
【０００３】
この実施形態でも、ペーパーロールの周面が、巻解が一方向にのみ可能であるように、切取り刃を含む前壁を圧迫する。
【０００４】
ドイツ公開特許第2 205 186 Ａは、トイレットペーパーロールのための更なるホルダーを説明している。ホルダーは基板から成り、該基板上に、確保可能に、及びロック可能にフードが装着されている。基板からは、互いからいくらかの距離のところに平行に配置されている２つの壁が出ている。壁の各々は、ペーパーロールを搬送しているシャフトのそれぞれの端部を収納するための、又はスリーブの開口部に受け入れられ得るシャフトジャーナルのうちの１つを収納するための１つの案内を備える。
【０００５】
案内は、引出し装置に向かう方向に傾斜して延出している巻解部を備え、ここにおいて、現在使用中のトイレットペーパーロールの外周は、引出し装置のリボンを圧迫する。当該技術分野において知られているこの実施形態では、引出し装置は、ロール上に巻かれているペーパーを巻解及び給紙するための自動装置として具体化される。加えて、案内は、予備としてトイレットペーパーロールを収納し、実質的に垂直に延出して巻解部に変わる供給部を備える。
【０００６】
当該技術分野において知られているこの実施形態では、シャフトは、基板に取り付けられている、２つの左右に装着された板金のスロットで案内される。案内が、トイレットペーパーロールをもつシャフトが上から挿入され得るように、それらの上端で開いている。予備ロールの役目をし、スロットの上部エリアに位置するトイレットペーパーロールが、後に案内の傾斜エリアに、前にこの位置を占めていたロールが消費され切り、空のスリーブが下方に放出されてしまうことがいったん起こると移されるように誘導するために、枢動レバーが使用される。ロール上に巻かれたペーパーを巻解及び給紙するための自動装置は故障しやすい。更に、自動巻解を容易にするためには、常に同じ特定の向きでトイレットペーパーロールを挿入することが必要である。
【０００７】
ドイツ公開特許第10 2011 004 511 A1は、前壁を介して連結されている２つの側方サイド要素を備えるトイレットペーパーロールのためのホルダーを開示している。ここにおいて、前壁はまた、より下方の切取り刃も形成している。サイド要素の各々には、トイレットペーパーロールを搬送するシャフトの１つのそれぞれの端部を収容するための案内が設けられている。案内は、前壁の切取り刃に向かってほぼ直線状で延出している主要部を備える。適切な切取り刃がトイレットペーパーロールの直径に関わらず利用可能であるために、切取り刃に向かう方向にトイレットペーパーロールを転換する付勢手段が設けられている。付勢手段は、バネ負荷に起因してトイレットペーパーロールを搬送するシャフトの端部を圧迫する枢動可能に装着されたアームとして具体化される。この実施形態は、構造的に複雑であり、結果として故障しやすい。付勢手段によって、トイレットペーパーロールの周面は、それが一方向にのみ解かれ得るように、前壁の内面に対して圧接される。
【０００８】
米国特許第3,572,602 Ｂは、ペーパーロールのディスペンサに関する。このディスペンサでは、２つのペーパーロールがホルダー内で重なり合って配置されており、ここにおいて、低い方のペーパーロールが使い切られてしまったとき、上部の予備ロールが案内を介して供給されることになる。ジャーナルを中心として回転可能に装着されているレバー要素の端部が、案内中に係合する。レバーの端部は、低い方のペーパーロールが押し戻されることを防ぐ役目をする。
【０００９】
米国特許出願公開第2011/0095127 A1は、シャフト上に巻かれたペーパーウェブから成る、順に重ねて配置された少なくとも２つのトイレットペーパーロールのためのホルダーに関する。シャフト端部の各々が、対向する壁に収納されている案内において支持されている。予備ロールが案内軌道中に摺動するのを防ぐために、保持要素が設けられ、センサ要素によって作動され得る。ペーパーロールの直径が大きいとき、センサ要素は、閉位置に保持要素を維持するが、ペーパーロールの直径が最小しきい値直径をいったん下回ると、それを開位置に切り替える。
【００１０】
国際公開公報第2008/004920 A1は、ペーパーロールディスペンサを説明している。ペーパーロールは、シャフト端部をもつシャフト上で支持されており、ここにおいて、シャフト端部は、壁要素に配置されている側方案内において案内される。側方案内に統合されているのは、ばね付勢された折曲機構であり、それは、第１状態では、即ち２つのロールがホルダーに存在するときは、側方壁の平面と平行な平面において延出し、第２状態では、即ち予備ロールが案内に存在しないときは、ある角度で壁要素によって架け渡された平面から延出し、案内溝を塞ぐ。
【発明の概要】
【００１１】
先行技術の背景に基づくと、ホルダーが構造的に単純な設計をもち、ほとんどメンテナンスを必要とせず、操作上信頼性があるように、トイレットペーパーロールのための上で言及された型のホルダーを更に発展させることが本発明の目的である。
【００１２】
この目的を達成するのに大きく助けになる本発明の特徴の１つは、使用中の低い方のトイレットペーパーロールが供給部に押し戻されることを防ぐ、ロック要素を備えるホルダーである。ロック要素は、好ましくは案内中に配置される。
【００１３】
このことは、低い方のトイレットペーパーロールが、不適当な使用の結果、上方に押さ出される場合でさえ、予備トイレットペーパーロールが、案内の所望の予備部に確実に保持され得ることを保証する。
【００１４】
ロック要素は、第２案内要素における、即ち垂直の方に傾いて延出している巻解部における案内に対して摺動可能に横断して装着されている摺動要素として具体化される。
【００１５】
摺動要素の一端は、好ましくは、重力又はばね付勢の結果として、第１案内要素の内面を圧迫する。
【００１６】
案内中に突出している摺動要素の端部は、好ましくは、該摺動要素が、トイレットペーパーロールが通過している間はシャフト端部又はシャフトジャーナルによって開位置に押し出され得、シャフト端部又はシャフトジャーナルが通過した後に重力又はばね付勢のどちらかによって閉位置に押し込まれることになるように、送込み側が楔形状に具現化され、傾斜面をもつ。
【００１７】
本発明の更なる詳細、利益、及び特徴は、請求項及びそこで特定されている特有の特徴において、個別に及び／又は組み合わせて、説明されているだけでなく、図で示される好ましい実施形態の例の以下の記載でも説明されている。
【図面の簡単な説明】
【００１８】
【図１】トイレットペーパーロールのためのホルダーの正面図を示す。
【図２】図１の切断線Ａ−Ａに沿った断面でのホルダーの側面図を示す。
【図３】図１のホルダーの側面図を示す。
【図４】図３の切断線Ｂ−Ｂに沿った断面でのホルダーの正面図を示す。
【図５】図３の切断線Ｃ−Ｃに沿った断面でのホルダーの正面図を示す。
【図６】図５の切断線Ｄ−Ｄに沿った断面での枢動レバーについての装着を図示する。
【図７】シャフト端部又はシャフトジャーナルを収納するための案内がある壁の正面図を示す。
【図８】２つのトイレットペーパーロールが順に重ねて配置されている、開状態のトイレットペーパーロールホルダーの正面図である。
【発明を実施するための形態】
【００１９】
図１は、少なくとも２つのトイレットペーパーロール１２、１４のためのホルダー１０を正面図で示す。ホルダーは、壁上にホルダー１０を装着するための後壁１８をもつハウジング１６を備える。後壁１８にヒンジ２２によって枢動可能に装着されているのは、ファスナ２４によってロック可能なドーム型カバー２０である。ドーム型カバー２０の前面に設けられているのは監視窓２６であり、それを通して使用中のトイレットペーパーロール１４のトイレットペーパーの消費量が評価され得る。
【００２０】
ホルダー１０は、後壁１８に平行に延出し、後壁１８に接続されている第１後部壁２８を備える。平行に、及び第１後部壁２８からいくらかの距離のところに配置されているのは、第２前部壁３０であり、ここにおいて、トイレットペーパーロール１２、１４は、回転軸３２、３４が後壁１８に対して直角に延出している形で壁２８と壁３０との間に配列されている。この結果として、トイレットペーパーロールは、大径のトイレットペーパーロールを使用するときに浅い奥行きでホルダー１０が製造されるように、後壁１８に対して平行な平面において回転する。
【００２１】
トイレットペーパーロール１２、１４に面している壁２８、３０のそれぞれの内面３６、３８上に、Ｕ字形状の断面のそれぞれの案内４０、４２が設けられており、それらは、トイレットペーパーロール１２、１４の両端を超えて軸方向に突出しているシャフトジャーナル４４、４６を収納及び案内する。シャフトジャーナル４４、４６は、トイレットペーパーロール１２、１４のスリーブ５２、５４のそれぞれの端面開口部中に挿入されるキャップ４８、５０の端部部分である。しかしシャフトジャーナルはまた、トイレットペーパーロール１２、１４を通るシャフトの端部部分でもあり得る。
【００２２】
使用中のトイレットペーパーロール１４の大抵穴の空いていないペーパーウェブ５６は、底側の引出し開口部５８から引き出され、引出し開口部に横方向で接している第１及び第２切取り要素６０、６２によって所望の長さで切られ得る。切取り要素６０、６２は、第１後部壁２８と第２前部壁３０との間に横方向連結要素を形成し、後壁１８に対して直角に延出している。
【００２３】
図３は、閉状態のハウジング１６をもつホルダーの側面図を示す。
【００２４】
図４は、図３の切断線Ｂ−Ｂに沿った断面図で、案内４０がある第１後部壁２８の正面図を示す。案内４２がある第２後部壁が、鏡像としてそれ相応に具体化されるため、これ以上詳細には説明されない。
【００２５】
案内４０は、壁２８の内面３６の表面上に具体化され、第１案内要素６４及び第２案内要素６６が左右で接している。案内４０は、幾つかの部分を備える。Ｖ字形状の第１部分４０ａが、予備としてトイレットペーパーロール１２を収納するためのそれぞれの備え部として、それぞれの第１及び第２案内要素６４、６６の上端から出る形で延出している。第１部分４０ａには、トイレットペーパーロール１２を、それが使用者による使用に利用可能になる位置まで案内するための、上から下に垂直に延出して供給部を形成する隣接の第２部分４０ｂが続く。
【００２６】
第２部分４０ｂは、傾斜しながら直線状で第２切取り刃６２に向かって延出している第３部分４０ｃに合流する。結果として、第３部分４０ｃは、使用中のトイレットペーパーロール１４を、それ自体の重みによって側方限界停止具７２に向かって移動させる役目をする巻解部を形成し、ここにおいて、使用中のトイレットペーパーロール１４の周面が、限界停止具７２の表面７３に接触する。
【００２７】
第３部分４０ｃは、使用中のトイレットペーパーロール１４が消費され切ったときに空のスリーブ５４を放出するための、上から下に延出している垂直放出部を形成する第４部分４０ｄに合流する。
【００２８】
放出部には、第１切取り刃６０に向かう方向に傾斜して延出し、空のスリーブ５４を排出するように具体化される排出部を形成する第５部分４０ｅが続く。
【００２９】
最後に、案内４０は、傾斜して上方に延出し、案内４０から空のスリーブ５４の横方向の取除きを可能にする取除き部分を形成する第６部分４０ｆを備えている。
【００３０】
空のスリーブが排出部４０ｃの最下点にある場合、好ましくは、サービス要員が空のスリーブを取り替えるための視覚的表示の役目をする、色が強調されたスタッド４８、５０が外から見える。
【００３１】
排出部４０ｅには、第２案内要素６６が引出し開口部５８に向かう方向で接している。上方限界として、第２案内要素５８からいくらかの距離分上方に、壁２８の表面３２上で配置される第３案内要素７４が設けられている。
【００３２】
第１案内要素６４は、供給部４０ｂと巻解部４０ｃとの間の移行領域に配置されているヒンジ７６を中心に枢動可能に装着されている枢動レバーとして具体化される。枢動レバー６４は、傾斜して延出している側方表面８０と共に備え部４０ａの境界を形成し、直線側方表面８２と共に供給部４０ｂの側方境界を形成する、第１アーム７８を備えている。
【００３３】
傾斜側方表面８０と直線側方表面８２との間の移行領域で設けられているのは、供給部４０ｂを塞ぐために第２案内要素６６の側方表面８６と反対に位置付けられ得る突起８４である。更に、枢動レバー６４は、垂直に延出している放出部４０ｄに向かってヒンジ７６から延出して限界停止具７２の高さ（level）で終わる第２アーム８８を備えている。第２アーム８８の側方表面４０は、備え部においてブロックされているトイレットペーパーロール１２が、供給部４０ｂに、そして結果として巻解部４０ｃに移動することを防ぐために、枢動レバー６４の第１アーム７８が突起８４と共に第２案内要素６６の側方表面８６に対して圧接されるように、使用中のトイレットペーパーロール１４のジャーナル４４が存在する巻解部４０ｃの側方下限を形成する。
【００３４】
図５は、図３の切断線Ｃ−Ｃに沿った断面でのホルダーの正面図を示し、ここにおいて、予備の役目をするトイレットペーパーロール１２が第１アーム７８の突起８４によって備え部４０ａにおいてブロックされ、ジャーナル４４を用いて使用中のトイレットペーパーロール１４が巻解部４０ｃに位置している一方で、トイレットペーパーロール１４は、その周辺に沿って限界停止具７２に接触しており、ペーパーウェブ５６が、より下方の給紙開口部５８から出てくる。
【００３５】
トイレットペーパーロールの自重のため、予備ロールとして意図されているトイレットペーパーロール１２が備えエリア４０ａにおいてブロックされるように、突起８４がある第１アーム７８が第２案内要素６６の内面８６に対して押し付けられるような形で、枢動レバー６４の第２アーム８８に対して力が作用する。
【００３６】
トイレットペーパーウェブ５６の継続的な排出は、使用中のトイレットペーパーロール１４の直径を低減し、その結果、トイレットペーパーロール１４が消費され続けると、それは、放出部４０ｄに向かって移動し続ける。
【００３７】
使用中のトイレットペーパーロール１４が、第２アーム８８の端部又は巻解部４０ｃの端部と限界停止具７２の表面との間の距離Ａに実質的に対応する半径に達するとき、スリーブ５４は、垂直に延出している放出部４０ｄ中に落下し、排出部４０ｅを通って収集部３６ｆに案内される。
【００３８】
本発明の限界停止具７２は、凸状面７３をもち、第１壁２８と第２壁３０との間に延出するボルトとして具体化され、ここにおいて、トイレットペーパーウェブ５６が消費され切ったときに重力により、スリーブが放出部４０ｄ中に強制的に落下することになるように、第２アーム８８の端部又は巻解部４０ｃの端部とボルト７２の表面７３との間の距離は、トイレットペーパーロールを保持するスリーブ５４の半径に実質的に対応する。
【００３９】
本発明の限界停止具７２が凸状面をもつので、使用中のトイレットペーパーロール１４が両方向に巻解され得ることが保証され得る。トイレットペーパーロール１４が、後壁に平行な平面において巻解され得るので、ペーパーウェブ５６は、トイレットペーパーロールが右側に巻解する場合には切取り要素６２で、トイレットペーパーロールが左側に巻解する場合には切取り要素６０で、切り取られ得るという更なる利益を達成する。表面は、横断方向又は長手方向に沿った溝掘の形態の表面性状をもち得る。
【００４０】
先行技術と比較すると、トイレットペーパーロール１２、１４の直径から独立して、ホルダー１０が浅い製造奥行きで実現され得、ここにおいて、トイレットペーパーロール１２、１４は、それらの巻着方向から独立して挿入され得、このことは、トイレットペーパーロールの挿入中にサービス要員が巻着方向に注意する必要がないため、特に単純で誤りの無いサービスを容易にする、という利益を実現する。
【００４１】
ホルダー１０はさらに、ボルト７２の形態の限界停止具が異なる位置に配置され得ることを更に特徴とする。図４は、ボルト７２’と第２アーム８８の端部との間の距離が低減されている位置にあるボルト７２’を図示している。このことは、より小さい直径のスリーブ５４’でペーパーロールを使用できる選択肢を生む。壁２８、３０において具体化されるのは対応する凹部であり、その結果、使用目的に応じて、ホルダーが、より直径の大きいスリーブ５４のためのボルト７２又はより直径の小さいスリーブのためのボルト７２’のどちらかを採用することができる。
【００４２】
凸状面がある限界停止具７２の本発明の実施形態に加えて、保持装置１２の構成が、特に複雑ではない機械設計によって更に特徴付けられる。例えば、第１、第２、及び第３案内要素と同様に壁２８、３０はそれぞれ、どちら側でも採用され得る同一の構成要素として具現化される。第１、第２、及び第３案内要素を装着するために、壁２８、３０は、案内要素６４、６６、７４の位置を固定するためのスタッド又はナブ９２のそれぞれの鏡像を設けられる。ここにおいて、案内要素は、例えば熱適用によってスタッド又はナブ９２に最初に適合されてその後溶接される開口部９４を備える。
【００４３】
図６は、枢動可能にヒンジで動かされる形で枢動レバー６４を所定の位置に固定するヒンジ７６の断面図を示す。ヒンジ７６は、枢動レバー６４の凹部９８を通って延出しているシャフト９６を備え、壁２８の凹部１００に所定の位置で固定される。
【００４４】
後部壁２８と前部壁３０との間隔を設定するために設けられるのは、切取り要素６０、６２の部分１０６、１０８と、それに加えてスペーサ要素１０２、１０４であり、それらは、後部壁２８の縁部分から実質的に垂直に延出し、前部壁３０の縁部分に連結、即ち溶接、され得る。
【００４５】
図７は、トイレットペーパーロール１２、１４が無い開状態のホルダー１０の正面図を示す。案内４０が壁２８に装着されている。図４に関して既に説明されたように、案内４０は、いくつかの部分、即ち、予備トイレットペーパーロール１２を収納するための備え部として第１部分４０ａと、トイレットペーパーロールを、それがユーザに利用可能である位置まで運ぶための供給部を形成する第２の垂直に延出している部分４０ｂと、並びに垂直に対して傾いて延出し、巻解部として機能する第３部分４０ｃであって、ここで該巻解部が今度は、側方限界停止具７２にトイレットペーパーロール１４（the latter）を案内するためにトイレットペーパーロール１４の重みを使用する役目をし、ここにおいて、使用中のトイレットペーパーロール１４の外周が限界停止具７２の表面７３に接触している第３部分４０ｃと、を備える。
【００４６】
案内４０には、第１案内要素６４及び第２案内要素６６が接している。案内要素６４、６６は、壁２８に装着されており、実質的にＵ字状の案内４０を形成する。
【００４７】
それ自体の発明上の利点をもつ実施形態では、使用者の手動によるアクションが、現在使用中の低い方のトイレットペーパーロール１４を、上方に、即ち垂直供給部４０ｃの方向に、押し出すのを防ぐために、ロック要素１１０が案内４０の範囲に沿って配置されている。ロック要素１１０は、垂直の方に傾いて延出している巻解部４０ｃにおいて配置されている。ここにおいて、ロック要素１１０は、垂直の方に傾いて延出している第２案内要素６６の部分において配置されている摺動要素として具現化される。摺動要素１１０は、矢印１１２の方向に沿って摺動可能に、案内において第２案内要素で横断して装着されており、ここにおいて、閉位置では、摺動要素１１０の一端１１４が、第１案内要素６４を圧迫する。
【００４８】
案内中に突出している摺動要素の端部１１４は、供給部から巻解部に移動するトイレットペーパーロールのシャフトの端部４０又はシャフトジャーナルが摺動要素１１０を開かせるように、送込み側が楔形状で具体化され、傾斜面１１４をもつ。
【００４９】
このことは、摺動要素が、シャフト端部又はシャフトジャーナルの通過中は持ち上げられることになり、シャフト端部又はシャフトジャーナルが通過し切った後には重力又はばね付勢のどちらかに起因してその元の位置に戻るように落下することになり、このことが、トイレットペーパーロールが押し戻されるのを防ぐ、ことを保証する。
【００５０】
反対方向への移動中、シャフトの端部又はシャフトジャーナルは、図８で例示されているように、摺動要素１１０（the latter）が閉位置に留まるように、摺動要素１１０の直線表面１１８に対して移動させられる。このことは、低い方のトイレットペーパーロール１４を押し戻すことが、予備トイレットペーパーロール１２を、予備部分４０ａにおけるその位置から意図せず外し得ることを防ぐ。摺動要素１１０は、好ましくは、それが重力の影響下でその開位置から閉位置に落下するように、垂直に対して傾いて支持されている。しかし、摺動要素１００が第２案内要素６６におけるばね張力下で摺動可能に装着されることも可能である。
【手続補正書】
【提出日】平成30年12月18日(2018.12.18)
【手続補正１】
【補正対象書類名】特許請求の範囲
【補正対象項目名】全文
【補正方法】変更
【補正の内容】
【特許請求の範囲】
【請求項１】
スリーブ（５２、５４）上に、又はシャフト上に巻かれたペーパーウェブ（５６）からなる、重ねて配置された少なくとも２つのトイレットペーパーロール（１２、１４）のためのホルダー（１０）であって、
前記ホルダー（１０）は、いくらかの距離だけ離れて平行に配置されている第１壁及び第２壁（２８、３０）をもち、
ここで、前記第１、第２壁（２８、３０）の各々が、前記スリーブの開口部に収納され得る、シャフトの１つのそれぞれの端部又は１つのそれぞれのシャフトジャーナルを収納するための、第１案内要素（６４）及び第２案内要素（６６）を有する１つの案内（４０、４２）を備え、
前記案内（４０、４２）は、実質的に垂直に延出し、トイレットペーパーロール（１２、１４）を運ぶ役目をし、及び巻解部（４０ｃ）に合流する１つの供給部（４０ｂ）を備え、前記巻解部（４０ｃ）は、限界停止具（７２）の方向に、垂直に対して傾いて延びており、
低い方のトイレットペーパーロール（１２、１４）は、切取り部（４０ｃ）に位置しており、それ自体の重みに起因して、その周面で前記限界停止具（７２）を圧迫し、
前記ペーパーウェブ（５６）は、引出し開口部（５８）を通って前記トイレットペーパーロール（１４）から巻解され得、前記少なくとも１つの切取り要素（６０、６２）で切り取られ得るものであり、
前記ホルダー（１０）が、使用中の前記低い方のトイレットペーパーロール（１４）が前記案内（４０、４２）の前記供給部（４０ｃ）中に押し戻されることを防ぐロック要素（１１０）を備えるホルダー（１０）において、
前記ロック要素（１１０）は摺動要素として具現化され、前記摺動要素は、前記第２案内要素（６６）において、垂直の方に傾いて延びている前記巻解部（４０ｃ）に、前記案内（４０、４２）に対して横断して摺動可能に装着されており、
前記摺動要素（１１０）が、その一端（１１４）で、重力に起因して前記第１案内要素（６４）の内面（９０）を圧迫することを特徴とする、ホルダー（１０）。
【請求項２】
前記トイレットペーパーロールの通過中に、前記シャフトの前記端部（４０）又は前記シャフトジャーナルが前記摺動要素（１１０）を開位置に転換することができ、前記シャフトの前記端部（４０）又は前記シャフトジャーナルがいったん通過し切ってしまうと、それが重力又はばね負荷に起因して閉位置に戻るよう落下するように、
前記案内中に突出している前記摺動要素（１１０）の前記一端（１１４）は、その送込み側が楔形状に具現化され、傾斜面（１１６）をもつことを特徴とする、請求項１に記載のホルダー。
【請求項３】
前記摺動要素（１１０）は、前記トイレットペーパーロールの１つの半径に実質的に対応する前記限界停止具（７２）からある距離のところに配置されていることを特徴とする、請求項１又は２に記載のホルダー。
【手続補正２】
【補正対象書類名】明細書
【補正対象項目名】０００１
【補正方法】変更
【補正の内容】
【０００１】
本発明は、請求項１の前文に従い、重ねて配置された少なくとも２つのトイレットペーパーロールのためのホルダーに関する。
【手続補正３】
【補正対象書類名】明細書
【補正対象項目名】０００２
【補正方法】変更
【補正の内容】
【０００２】
上で言及された型のトイレットペーパーロールのためのホルダーは、米国特許第3,572,602 Ｂに記載されている。このディスペンサでは、２つのペーパーロールがホルダー内で重なり合って配置されており、ここにおいて、低い方のペーパーロールが使い切られてしまったとき、上部の予備ロールが案内を介して供給されることになる。ジャーナルを中心として回転可能に装着されているレバー要素の端部が、案内中に係合する。レバーの端部は、低い方のペーパーロールが押し戻されることを防ぐ役目をする。
国際公開03/041549 A1は、ペーパーウエブ形式の材料ロール用のディスペンサに関する。このディスペンサは、上記材料のための引き出し開口と、少なくとも２つのロールのための空間を備えている。第１の空間が引き出し開口に隣接して配置されており、作動位置にある１つのロールのために意図されている。第２の空間が待機位置にある１つのロールのために意図されている。保持位置において第２のロールを待機位置に保持し、開放されるような態様で
、複数の保持手段が配置されている。
スイス国特許公報第571 994 Ｂは、使用者が材料ウェブの一部分を引き出し得る給紙位置に第１トイレットペーパーロールを保持し、ロールが満杯である第１位置からロールが少なくとも実質的に使い切られている第２位置に、ジャーナルを移動させる第１保持手段を備えるホルダーに関する。更に設けられているのは、給紙位置上方の予備位置に少なくとも１つの第２ロールを着脱可能に保持することであって、ここにおいて、第１保持手段と第２保持手段とは少なくとも１つの枢動可能レバーを介して互いに結合され、該少なくとも１つの枢動レバーは、第１保持手段では、該第１ロールにおけるジャーナルの位置に応動するために、第１ロールのジャーナルが第１位置から第２位置に移動している限りずっと予備位置に第２ロールを保持するために、第１ロールにおけるジャーナルと相互動作する保持することと、該ジャーナルが第２位置に到達したときに予備位置から第２ロールを自動的に外すことと、のための第２保持手段であり、最後に設けられているのは、一度レバーが第２ロールを外してしまうと、予備位置から給紙位置に第２ロールを案内するための案内装置である。ロールが特定の向きでのみ給紙装置中に挿入されることを保証するために、複数のジャーナルが異なる直径をもち、複数の案内溝が異なる幅をもつことが意図されている。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
米国特許出願公開第2011/0095127 A1は、シャフト上に巻かれたペーパーウェブから成る、順に重ねて配置された少なくとも２つのトイレットペーパーロールのためのホルダーに関する。シャフト端部の各々が、対向する壁に収納されている２つの案内の１つにおいて支持されている。予備ロールが案内軌道中に摺動するのを防ぐために、保持要素が設けられ、センサ要素によって作動され得る。センサ要素は、保持要素を、ペーパーロールの直径が大きいとき、閉位置に作用させ、ペーパーロールの直径が最小しきい値直径を下回るとき、保持要素を開位置に作用させる。
【手続補正６】
【補正対象書類名】明細書
【補正対象項目名】００１２
【補正方法】変更
【補正の内容】
【００１２】
この目的は、請求項１の特徴に係る発明により達成される。ホルダーはロック要素を備え、使用中の低い方のトイレットペーパーロールが供給部に押し戻されることを防ぐ。ロック要素は、第２案内要素における、即ち垂直の方に傾いて延出している巻解部における案内に対して摺動可能に横断して装着されている摺動要素として具体化される。摺動要素は、重力の結果として、その一端で第１案内要素の内面を圧迫する。
【手続補正７】
【補正対象書類名】明細書
【補正対象項目名】００５０
【補正方法】変更
【補正の内容】
【００５０】
反対方向への移動中、シャフトの端部又はシャフトジャーナルは、図８で例示されているように、摺動要素１１０（the latter）が閉位置に留まるように、摺動要素１１０の直線表面１１８に対して移動させられる。このことは、低い方のトイレットペーパーロール１４を押し戻すことが、予備トイレットペーパーロール１２を、予備部分４０ａにおけるその位置から意図せず外し得ることを防ぐ。摺動要素１１０は、好ましくは、それが重力の影響下でその開位置から閉位置に落下するように、垂直に対して傾いて支持されている。しかし、摺動要素１００が第２案内要素６６におけるばね張力下で摺動可能に装着されることも可能である。
以下に、出願当初の特許請求の範囲に記載の事項を、そのまま、付記しておく。
［１］  スリーブ（５２、５４）上に、又はシャフト上に巻かれたペーパーウェブ（５６）からなる、重ねて配置された少なくとも２つのトイレットペーパーロール（１２、１４）のためのホルダー（１０）であって、
前記ホルダー（１０）は、いくらかの距離だけ離れて平行に配置されている第１及び第２壁（２８、３０）をもち、
ここで、前記壁（２８、３０）の各々が、前記スリーブの開口部に収納され得る前記シャフトの１つのそれぞれの端部又は１つのそれぞれのシャフトジャーナルを収納するための１つの案内（４０、４２）を備え、
前記案内（４０、４２）は、実質的に垂直に延出し、トイレットペーパーロール（１２、１４）を運ぶ役目をし、及び巻解部（４０ｃ）に合流する１つの供給部（４０ｂ）を備え、前記巻解部（４０ｃ）は、少なくとも１つの第１切取り要素（６０、６２）又は限界停止具（７２）の方向に、垂直に対して傾いて延出しており、
前記切取り部（４０ｃ）に位置している低い方のトイレットペーパーロール（１２、１４）は、それ自体の重みに起因して、その周面で前記限界停止具（７２）を圧迫し、
前記ペーパーウェブ（５６）は、引出し開口部（５８）を通って前記トイレットペーパーロール（１４）から巻解され得、前記少なくとも１つの切取り要素（６０、６２）で切り取られ得るものであるホルダー（１０）において、
前記ホルダー（１０）が、使用中の前記低い方のトイレットペーパーロール（１４）が前記案内（４０、４２）の前記供給部（４０ｃ）中に押し戻されることを防ぐロック要素（１１０）を備えることを特徴とする、ホルダー（１０）。
［２］  前記ロック要素（１１０）は、第２案内要素（６６）において、特に垂直の方に傾いて延出している前記巻解部（４０ｃ）において、前記案内（４０、４２）に対して横断して摺動可能に装着されている摺動要素として具現化されることを特徴とする、［１］に記載のホルダー。
［３］  前記摺動要素（１１０）の一端（１１４）が、重力に起因して又はばね予圧に起因して、のどちらかで、第１案内要素（６４）の内面（９０）を圧迫することを特徴とする、［１］又は［２］に記載のホルダー。
［４］  前記ペーパーロールの通過中に、前記シャフトの前記端部（４０）又は前記シャフトジャーナルが前記摺動要素（１１０）を開位置に転換することができ、前記シャフトの前記端部（４０）又は前記シャフトジャーナルがいったん通過し切ってしまうと、それが重力又はばね負荷に起因して閉位置に戻るように落下するよう、
前記案内中に突出している前記摺動要素（１１０）の前記端部（１１４）は、その送込み側が楔形状に具現化され、傾斜面（１１６）をもつことを特徴とする、［１］〜［３］のうちの少なくとも一項に記載のホルダー。
［５］  前記摺動要素（１１０）は、前記トイレットペーパーロールの１つの半径に実質的に対応する前記限界停止具（７２）からある距離のところに配置されていることを特徴とする、［１］〜［４］のうちの少なくとも一項に記載のホルダー。
【国際調査報告】
2019513475.tif 000003
2019513475.tif 000004
2019513475.tif 000005
2019513475.tif 000006
2019513475.tif 000007
2019513475.tif 000008
2019513475.tif 000009
2019513475.tif 000010
2019513475.tif 000011
2019513475.tif 000012
2019513475.tif 000013
2019513475.tif 000014
2019513475.tif 000015